(57)【特許請求の範囲】
【請求項１】
背もたれ部と、座面部と、前記座面部の左右両側に配置された肘掛け部とを備えるソファーの外周を覆うソファーカバーであって、
少なくとも一部が伸縮性を有する生地で形成されたカバー本体と、
前記カバー本体の裏側に取付けられた、ゴムを有する伸縮可能な筒状バンドと、
弾性材料で形成された棒状体からなり、前記筒状バンドに挿入され、その両端開口から突き出して装着されるストッパー部材とを備え、
前記筒状バンドに装着された前記ストッパー部材が、前記ソファーの背もたれ部と前記座面部との隙間、及び／又は、前記座面部と前記肘掛け部との隙間に差し込まれるように構成されており、
前記ストッパー部材は、発泡性樹脂からなる柱状芯材と、該柱状芯材の外周を覆う、該柱状芯材よりも密度の高い表皮材とからなり、前記表皮材の外周面に、所定間隔で多数の凸部及び／又は凹部が形成されていることを特徴とするソファーカバー。
【請求項２】
前記筒状バンドの軸方向に沿った長さが２〜５ｃｍで、かつ、前記ストッパー部材の、前記筒状バンドの両端開口からの突出長さが１〜２４ｃｍである請求項１記載のソファーカバー。
【請求項３】
前記筒状バンドは、ゴムを有する伸縮可能な帯状体の両端部を、３層以上に折り返して重ね合わせ、該重ね合わせた部分が前記カバー本体の裏側に縫着されることにより、筒状バンドとされて、前記カバー本体に取付けられている請求項１又は２記載のソファーカバー。    
【発明の詳細な説明】
【技術分野】
【０００１】
本発明は、背もたれ部と、座面部と、座面部の左右両側に配置された肘掛け部とを備えるソファーの外周を覆うソファーカバーに関する。
【背景技術】
【０００２】
ソファーを汚れや傷み等から保護したり、ソファー自体の美的外観を使用者の好みに合わせて変えるために、ソファーにソファーカバーを被せることが行われている。ただ、長時間ソファーを使用していると、ソファーカバーがずれて動いてしまうことがあった。
【０００３】
これを解決するため、下記特許文献１には、棒状に形成されたずれ防止具を、ソファーに掛けたソファーカバーの上から、ソファーの背もたれ部と腰掛け部とのつなぎ目の隙間に押し込むことで、ソファーカバーのずれを防止する、ソファーカバーのずれ防止装置が開示されている。しかし、このずれ防止装置では、ソファーに着座した際やソファー使用中に、カバーが引っ張られると、ソファーの背もたれ部と腰掛け部との隙間から、ずれ防止具が飛び出てしまうことがあった。
【０００４】
これを防止するため、下記特許文献２には、ソファー座面部と肘掛け部との隙間に押し込まれる両側押込み部の裏面側に取付けられた第１連結帯と、ソファーの背もたれ部を覆う背面カバー部の、肘掛け部後方に位置する下縁部に取付けられた第２連結帯とを備えた、ソファーカバーが記載されている。更にソファーカバーの、両側押込み部や背面押込み部の裏面に、２本の紐体等からなる抜け止め部材保持部が取付けられており、該抜け止め部材保持部に、棒状の抜け止め部材が保持されて、この抜け止め部材を、ソファーの背もたれ部と腰掛け部との隙間に差し込むことで、ソファーカバーのずれ防止を図っている。
【先行技術文献】
【特許文献】
【０００５】
【特許文献１】特開２００１−２９１８４号公報
【特許文献２】特許第５３９８９３１号公報
【発明の概要】
【発明が解決しようとする課題】
【０００６】
しかし、上記特許文献２のソファーカバーでは、２本の紐体で、棒状の抜け止め部材を縛ることで、抜け止め部材保持部に、抜け止め部材が保持されるようになっているので、抜け止め部材の取付け作業が、煩雑で手間がかかるという不都合があった。また、紐体で抜け止め部材を縛ることで、抜け止め部材を保持しているため、ソファーカバーが引っ張られたり、長期に亘って使用したりした場合に、２本の紐体が弛んだり解けたりして、抜け止め部材が位置ずれしたり外れたりするおそれがあった。
【０００７】
したがって、本発明の目的は、ソファーカバーに対してストッパー部材を、簡単かつ位置ずれを防止してしっかりと装着することができる、ソファーカバーを提供することにある。
【課題を解決するための手段】
【０００８】
上記目的を達成するため、本発明は、背もたれ部と、座面部と、前記座面部の左右両側に配置された肘掛け部とを備えるソファーの外周を覆うソファーカバーであって、少なくとも一部が伸縮性を有する生地で形成されたカバー本体と、前記カバー本体の裏側に取付けられた、ゴムを有する伸縮可能な筒状バンドと、弾性材料で形成された棒状体からなり、前記筒状バンドに挿入され、その両端開口から突き出して装着されるストッパー部材とを備え、前記筒状バンドに装着された前記ストッパー部材が、前記ソファーの背もたれ部と前記座面部との隙間、及び／又は、前記座面部と前記肘掛け部との隙間に差し込まれるように構成されており、前記ストッパー部材は、発泡性樹脂からなる柱状芯材と、該柱状芯材の外周を覆う、該柱状芯材よりも密度の高い表皮材とからなり、前記表皮材の外周面に、所定間隔で多数の凸部及び／又は凹部が形成されていることを特徴とする。
【０００９】
本発明のソファーカバーによれば、カバー本体の裏側に取付けられた筒状バンドが、ゴムを有する伸縮可能なものとされているので、筒状バンドの一端開口からストッパー部材を押し込んでいくと、筒状バンドを押し広げつつストッパー部材を挿入することができ、筒状バンドの両端開口からストッパー部材が突き出した状態で、筒状バンドにストッパー部材を簡単に装着することができる。また、ストッパー部材の外周が筒状バンドの内周に密接するので、筒状バンドに対してストッパー部材を位置ずれしないように、しっかりと装着させることができる。
【００１０】
そして、このストッパー部材を、ソファーの背もたれ部と座面部との隙間や、ソファーの座面部と肘掛け部との隙間に差し込むことで、ソファーカバーのずれを防止することができる。このとき、ソファーカバーが引っ張られると、筒状バンドが伸縮変形すると共に、筒状バンドの両端開口から突出したストッパー部材も弾性変形するので、ソファーカバーに作用する引っ張り力を、筒状バンド及びストッパー部材の変形によって吸収することができ、ストッパー部材を、ソファーの背もたれ部と座面部との隙間や、座面部と肘掛け部との隙間から引き抜かれにくくすることができる。
また、前記ストッパー部材は、発泡性樹脂からなる柱状芯材と、該柱状芯材の外周を覆う、該柱状芯材よりも密度の高い表皮材とからなり、前記表皮材の外周面に、所定間隔で多数の凸部及び／又は凹部が形成されているため、ストッパー部材の、表皮材の外周面に形成された多数の凸部や凹部が、筒状バンドの内周に当接するので、筒状バンドに対してストッパー部材を位置ずれしにくくすることができ、また、筒状バンドの両端から突出したストッパー部材の凸部や凹部が、ソファーの背もたれ部と座面部との隙間の内周や、座面部と肘掛け部との隙間の内周に当接するので、ソファーの各隙間からストッパー部材を、より引き抜かれにくくすることができる。更に、ストッパー部材は、発泡性樹脂からなる柱状芯材によって、その弾性を確保しつつ、柱状芯材の外周を覆う、柱状芯材よりも密度の高い表皮材に、凸部や凹部が形成されているので、筒状バンド内周やソファーの各隙間の内周に対する保持力を、より高めることができる。
【００１１】
本発明のソファーカバーにおいては、前記筒状バンドの軸方向に沿った長さが２〜５ｃｍで、かつ、前記ストッパー部材の、前記筒状バンドの両端開口からの突出長さが１〜２４ｃｍであることが好ましい。
【００１２】
この態様によれば、筒状バンドの長さ、及び、ストッパー部材のバンド両端開口からの突出長さが、上記のように設定されているので、ストッパー部材が、ソファーの背もたれ部と座面部との隙間や、ソファーの座面部と肘掛け部との隙間に差し込まれた状態で、ソファーカバーが引っ張られた場合に、筒状バンドの伸縮変形と、バンド両端から突出したストッパー部材の弾性変形とが、バランスよく効果的になされて、ソファーカバーに作用する引っ張り力を、より効率的に吸収することができる。
【００１５】
本発明のソファーカバーにおいては、前記筒状バンドは、ゴムを有する伸縮可能な帯状体の両端部を、３層以上に折り返して重ね合わせ、該重ね合わせた部分が前記カバー本体の裏側に縫着されることにより、筒状バンドとされて、前記カバー本体に取付けられていることが好ましい。
【００１６】
この態様によれば、筒状バンドは、ゴムを有する伸縮可能な帯状体の両端部を、３層以上に折り返して重ね合わせ、重ね合わせた部分をカバー本体の裏側に縫着されることにより、筒状バンドとされて、カバー本体に取付けられているので、筒状バンドをソファーカバーの裏側に強固に取付けることができる。
【発明の効果】
【００１７】
本発明のソファーカバーによれば、カバー本体裏側に、ゴムを有する伸縮可能な筒状バンドが取付けられているので、筒状バンドを押し広げつつストッパー部材を挿入することができ、筒状バンドにストッパー部材を簡単に装着することができると共に、筒状バンドの内周にストッパー部材の外周が密接するので、筒状バンドにストッパー部材を位置ずれしないように、しっかりと装着させることができる。
【図面の簡単な説明】
【００１８】
【図１】本発明に係るソファーカバーの一実施形態を示す分解斜視図である。
【図２】同ソファーカバーを構成する筒状バンド及びストッパー部材を示す拡大斜視図である。
【図３】同ソファーカバーにおいて、筒状バンドにストッパー部材が装着された状態を示す拡大斜視図である。
【図４】同ソファーカバーにおける筒状バンド及びストッパー部材の断面図である。
【図５】同ソファーカバーをソファーに被せる際の、拡大斜視図である。
【図６】同ソファーカバーをソファーに被せた状態の、斜視図である。
【図７】同ソファーカバーが引っ張られた状態の、要部拡大斜視図である。
【発明を実施するための形態】
【００１９】
以下、図面を参照して、本発明に係るソファーカバーの一実施形態について説明する。
【００２０】
図１に示すように、この実施形態におけるソファーカバー１０は、背もたれ部３と、座面部５と、座面部５の左右両側に配置された肘掛け部７，７とを備えるソファー１の外周を覆うように装着させて用いられるものである。
【００２１】
そして、このソファーカバー１０は、少なくとも一部が伸縮性を有する生地で形成されたカバー本体２０を有している。
【００２２】
このカバー本体２０は、ソファー１の背もたれ部３を覆う横長の背もたれカバー２３と、該背もたれカバー２３の下縁部に接続部Ａを介して接続され、前記座面部５を覆う座面カバー２５と、該座面カバー２５の左右両側に接続部Ｂ，Ｂを介して接続され、前記肘掛け部７，７を覆う肘掛けカバー２７，２７とを有しており、ソファー１の底面を除く外周を覆う袋状に形成されている。
【００２３】
なお、カバー本体２０の生地の材質は、特に限定はないが、例えば、ポリエステル繊維や、ポリウレタン繊維等の伸縮性を有する繊維で紡糸した、織生地や編み生地等を用いることができる。
【００２４】
また、カバー本体２０の裏側には、ゴムを有する伸縮可能で、かつ、両端が開口した略円筒状の筒状バンド３０が、複数取付けられている。
【００２５】
この実施形態においては、図１及び図６に示すように、カバー本体２０の、背もたれカバー２３と座面カバー２５との接続部Ａの裏側に、所定間隔をあけて複数の筒状バンド３０（ここでは３個）が取付けられており、また、座面カバー２５と各肘掛けカバー２７，２７との接続部Ｂ，Ｂの裏側にも、筒状バンド３０が取付られている。
【００２６】
また、図２に示すように、この筒状バンド３０は、帯状体３１の両端部３３，３４を、３層以上に折り返して重ね合わせ、この重ね合わせた部分が、カバー本体２０の裏側に縫着されることで構成されている。
【００２７】
この実施形態においては、図２及び図４に示すように、所定長さで伸びる帯状体３１の一端部３３を折り曲げて２層に重ね合わせると共に、帯状体３１の他端部３４を、前記２層部分の外周に沿って配置して４層に重ね合わせて、この重ね合わせた部分を、縫着糸３７によって、カバー本体２０の裏側に縫着することで、筒状バンド３０が構成されている。なお、帯状体３１の一端部３３の折り曲げ部も、縫着糸３８を介してカバー本体２０の裏側に縫着されている。
【００２８】
また、図２に示すように、筒状に形成された帯状体３１の最小内径Ｄ１は、後述するストッパー部材４０の最大外径Ｄ２（図４参照）よりも小さくなるように形成されていることが好ましい。
【００２９】
更に図２に示すように、筒状バンド３０の軸方向に沿った長さＬ１は、２〜５ｃｍであることが好ましく、３〜４ｃｍであることがより好ましい。
【００３０】
なお、筒状バンドとしては、ゴムを有する伸縮可能な構造で、両端が開口した筒状をなしていればよく、上記構造に限定されるものではない。また、筒状バンドの取付位置や取付個数、取付方法等についても、特に限定はされない。
【００３１】
更にこのソファーカバー１０は、弾性材料で形成された棒状体からなり、筒状バンド３０に挿入され、その両端開口から突き出して装着されるストッパー部材４０を有している。
【００３２】
図２及び図３に示すように、この実施形態のストッパー部材４０は、スポンジや発泡ポリウレタン等の発泡性樹脂からなる円柱状をなした柱状芯材４１と、その外周を覆うと共に、前記柱状芯材４１よりも密度の高い表皮材４３とから構成されている。また、表皮材４３の外周面には、所定間隔で多数の凸部４５が突設されている。
【００３３】
なお、ストッパー部材の外周面に、凸部ではなく凹部を設けたり、或いは、凸部及び凹部の両方を設けてもよい。また、ストッパー部材としては、上記のような柱状芯材及び表皮材からなる２層構造としなくてもよく、１層構造や３層以上の多層構造としてもよい。なお、ストッパー部材が１層構造の場合には、その外周面に直接、凸部や凹部を設けることとなる。
【００３４】
そして、図３に示すように、前記筒状バンド３０の両端開口からストッパー部材４０が突き出した状態で、筒状バンド３０にストッパー部材４０が装着され、図５及び図６に示すように、このストッパー部材４０が、ソファー１の背もたれ部３と座面部５との隙間、及び／又は、座面部５の左右両側部と肘掛け部７，７との隙間に差し込まれるように構成されている。
【００３５】
また、図２に示すように、ストッパー部材４０の軸方向に沿った長さＬ２は、７〜５０ｃｍであることが好ましく、１０〜２０ｃｍであることがより好ましい。更に図３に示すように、筒状バンド３０の両端開口からの、ストッパー部材４０の突出長さＬ３は、１〜２４ｃｍであることが好ましく、３〜８ｃｍであることがより好ましい。
【００３６】
なお、前記筒状バンド３０の長さＬ１とストッパー部材４０の突出長さＬ３との関係としては、筒状バンド３０の軸方向に沿った長さＬ１が２〜５ｃｍで、かつ、筒状バンド３０の両端開口からの、ストッパー部材４０の突出長さＬ３が１〜２４ｃｍであることが好ましい。また、筒状バンド３０の軸方向に沿った長さＬ１が３〜４ｃｍで、かつ、筒状バンド３０の両端開口からの、ストッパー部材４０の突出長さＬ３が３〜８ｃｍであることがより好ましい。
【００３７】
また、図４に示すストッパー部材４０の最大外径Ｄ２（ここでは凸部４５も含めた外径）は、筒状バンド３０の帯状体３１の最小内径Ｄ１よりも大きく形成されていることが好ましい。更にこの外径Ｄ２は、２〜４ｃｍであることが好ましく、２．５〜３ｃｍであることがより好ましい。
【００３８】
なお、この実施形態においては、１個の筒状バンド３０に、１個のストッパー部材４０を挿入して装着しているが、これに限定されるものではなく、複数の筒状バンド３０に、長く伸びた１個のストッパー部材４０を挿入して装着するようにしてもよい。ただし、この場合でも、筒状バンド３０の両端開口から、ストッパー部材４０が突き出るように装着される。
【００３９】
また、この実施形態におけるストッパー部材４０は、柱状芯材４１と表皮材４３とからなる略円柱状をなしているが、例えば、三角形の柱状や、四角形の柱状、五角形の柱状、六角形の柱状等の、多角形の柱状をなしていてもよく、また、中心に貫通孔を設けた円筒状をなしていてもよく、特に限定はされない。更に、ストッパー部材を形成する弾性材料としては、例えば、発泡樹脂や、エラストマー、ゴム等も採用することができ、弾性を有していて、伸縮バンドと協働して引っ張り力を吸収可能なものであれば、特に限定されない。
【００４０】
次に、本発明に係るソファーカバー１０の使用方法及び作用効果について説明する。
【００４１】
まず、筒状バンド３０にストッパー部材４０を装着させる。すなわち、図２に示すように、筒状バンド３０の一端開口からストッパー部材４０を押し込んでいくと、筒状バンド３０を押し広げつつストッパー部材４０が挿入されていき、筒状バンド３０の両端開口からストッパー部材４０が突出するまで押し込むと、図３及び図４に示すように、筒状バンド３０の内周にストッパー部材４０の外周が密接した状態で、筒状バンド３０にストッパー部材４０を装着することができる。これを繰り返して、各筒状バンド３０の両端開口からストッパー部材４０が突き出るように、筒状バンド３０にストッパー部材４０を装着する。
【００４２】
そして、このソファーカバー１０においては、カバー本体２０の裏側に取付けられた筒状バンド３０が、ゴムを有する伸縮可能なものとされているので、筒状バンド３０の一端開口からストッパー部材４０を押し込むだけの簡単な作業で、筒状バンド３０を押し広げつつストッパー部材４０を挿入することができ、筒状バンド３０にストッパー部材４０を簡単に装着することができる。また、ストッパー部材４０の外周が筒状バンド３０の内周に密接するので（図４参照）、筒状バンド３０に対してストッパー部材４０を位置ずれしないように、しっかりと装着させることができる。なお、ストッパー部材４０が多角形の柱状をなしている場合には、各角部が、筒状バンド３０の内周に密接するので、筒状バンド３０に対してストッパー部材４０が位置ずれしにくいという利点が得られる。
【００４３】
続いて、図５に示すように、ソファー１の背もたれ部３や肘掛け部７に、ソファーカバー１０の背もたれカバー２３や肘掛けカバー２７を被せた後、ストッパー部材４０を、ソファー１の背もたれ部３と座面部５との隙間に差し込むと共に、座面部５と肘掛け部７との隙間にそれぞれ差し込みつつ、ソファー１の座面部５に、ソファーカバー１０の座面カバー２５を被せることで、図６に示すように、ソファー１の外周をソファーカバー１０で覆うように装着することができる。
【００４４】
このように、各ストッパー部材４０を、ソファー１の背もたれ部３と座面部５との隙間や、座面部５と肘掛け部７との隙間に差し込んだことにより、ソファーカバー１０が引っ張られたとしても、ソファー１の各隙間に挿入されたストッパー部材４０が、カバー引っ張り時に引っ掛かって、その位置に保持されるので、ソファーカバー１０の位置ずれを抑制することができる。
【００４５】
そして、このソファーカバー１０においては、筒状バンド３０がゴムを有する伸縮可能であるのに加えて、ストッパー部材４０も弾性材料で形成されているので、上記のようにソファーカバー１０が引っ張られると、図７に示すように、筒状バンド３０が伸縮変形すると共に、筒状バンド３０の両端開口から突出したストッパー部材４０も弾性変形するので、ソファーカバー１０に作用する引っ張り力を、筒状バンド３０及びストッパー部材４０の変形によって吸収することができる。その結果、ストッパー部材４０を、ソファー１の背もたれ部３と座面部５との隙間や、座面部５と肘掛け部７との隙間から引き抜かれにくくすることができるので、ソファーカバー１０の位置ずれ防止をより確実に図ることができる。
【００４６】
なお、筒状バンド又はストッパー部材の一方が剛体だと、剛体に引っ張り力が集中的に作用するので、カバーからの引っ張り力がある一定値以上作用すると、ストッパー部材が、ソファーの背もたれ部と座面部との隙間や、座面部と肘掛け部との隙間から、飛び出てしまいやすくなる。
【００４７】
更に、筒状バンド３０の軸方向に沿った長さＬ１が２〜５ｃｍで、かつ、ストッパー部材４０の、筒状バンド３０の両端開口からの突出長さＬ３が１〜２４ｃｍとされている場合には、ストッパー部材４０が、ソファー１の背もたれ部３と座面部５との隙間や、ソファー１の座面部５と肘掛け部７との隙間に差し込まれた状態で、図７に示すように、ソファーカバー１０が引っ張られた場合に、筒状バンド３０の伸縮変形と、バンド両端から突出したストッパー部材４０の弾性変形とが、バランスよく効果的になされるので、ソファーカバー１０に作用する引っ張り力を、より効率的に吸収することができる。
【００４８】
また、この実施形態においては、図３及び図４に示すように、ストッパー部材４０は、その外周面に多数の凸部４５や凹部が形成され、これらの凸部４５等が、筒状バンド３０の内周に当接するので、筒状バンド３０に対してストッパー部材４０を位置ずれしにくくすることができる。更に、筒状バンド３０の両端から突出したストッパー部材４０の凸部４５等が、ソファー１の背もたれ部３と座面部５との隙間の内周や、座面部５と肘掛け部７との隙間の内周に当接するので、ソファー１の各隙間からストッパー部材４０を、より引き抜かれにくくすることができる。
【００４９】
また、この実施形態においては、図３及び図４に示すように、ストッパー部材４０は、発泡性樹脂からなる柱状芯材４１と、その外周面に凸部４５等を設けた表皮材４３とから構成されている。そのため、ストッパー部材４０を、発泡性樹脂からなる柱状芯材４１によって、その弾性を確保しつつ、この柱状芯材４１の外周を覆う、柱状芯材４１よりも密度の高い表皮材４３に、凸部４５等を形成したことで、筒状バンド３０の内周や、ソファー１の各隙間の内周に対する保持力を、より高めることができる。
【００５０】
更にこの実施形態においては、図２及び図４に示すように、筒状バンド３０は、帯状体３１の両端部３３，３４を、３層以上に折り返して重ね合わせ、この重ね合わせた部分が、カバー本体２０の裏側に縫着されることで構成されているので、筒状バンド３０をソファーカバー１０の裏側に強固に取付けることができる。
【００５１】
なお、本発明は、上述した実施形態に限定されるものではなく、本発明の要旨の範囲内で、各種の変形実施形態が可能であり、そのような実施形態も本発明の範囲に含まれる。
【符号の説明】
【００５２】
１  ソファー
３  背もたれ部
５  座面部
７  肘掛け部
１０  ソファーカバー
２０  カバー本体
２３  背もたれカバー
２５  座面カバー
２７  肘掛けカバー
３０  筒状バンド
３１  帯状体
３３  一端部
３４  他端部
３７，３８  縫着糸
４０  ストッパー部材
４１  柱状芯材
４３  表皮材
４５  凸部
Ａ  接続部
Ｂ  接続部
【要約】
【課題】ソファーカバーにストッパー部材を簡単かつ位置ずれを防止して装着できるソファーカバーを提供する。
【解決手段】このソファーカバー１０は、背もたれ部３と、座面部５と、座面部５の左右両側に配置された肘掛け部７とを備えるソファー１の外周を覆うもので、一部が伸縮性を有する生地で形成されたカバー本体２０と、カバー本体裏側に取付けられたゴムを有する伸縮可能な筒状バンド３０と、弾性材料で形成された棒状体からなり、筒状バンド３０に挿入され、その両端開口から突き出して装着されるストッパー部材４０とを備え、ストッパー部材４０が、ソファー１の背もたれ部３と座面部５との隙間、及び／又は、座面部５と肘掛け部７との隙間に差し込まれるように構成されている。
【選択図】図５【図１】
0005913692.tif 000002
【図２】
0005913692.tif 000003
【図３】
0005913692.tif 000004
【図４】
0005913692.tif 000005
【図５】
0005913692.tif 000006
【図６】
0005913692.tif 000007
【図７】
0005913692.tif 000008